(57)【要約】【課題】トランスを実装したプリント基板の導体パターンと二次巻線の高圧側のリード線との間で絶縁耐圧不良が発生するおそれがあった。【解決手段】  複数の端子25を取付けた第１の鍔と、縁から巻軸付近まで切れ込んだスリット27を有する第２の鍔と、第１、第２の鍔の間に位置する第１の溝24ｂと、第２の鍔を挟んで第１の溝24ｂに隣接する第２の溝24ａとをボビン20に備える。第２の溝24ａに二次巻線40を巻回するとともに、二次巻線40のリード線41をスリット27に通して第１の溝24ｂの中に引出し、その端末を端子25に接続する。【選択図】    図１
2006128330.tif 000002
【特許請求の範囲】
【請求項１】
鍔で仕切られた巻軸の周りの溝に二次巻線を巻回したインバータトランスのボビンであって、
複数の端子を取付けた第１の鍔と、縁から巻軸付近まで切れ込んだスリットを有する第２の鍔と、第１、第２の鍔の間に位置する第１の溝と、第２の鍔を挟んで第１の溝に隣接する第２の溝とを備え、
第２の溝に二次巻線を巻回するとともに、二次巻線の少なくとも高圧側のリード線を該スリットに通して第１の溝の中に引出し、その端末を前記の端子に接続したことを特徴とするインバータトランスのボビン。
【請求項２】
それぞれの端子に第１の鍔の側面から突出した突出部を設け、二次巻線のリード線を該突出部に接続した請求項１のインバータトランスのボビン。
【請求項３】
第１、第２の溝からなる巻線部を一つ備えた請求項１のインバータトランスのボビン。
【請求項４】
第１、第２の溝からなる巻線部を複数個、巻軸の中心軸方向に隣接させて設けた請求項１のインバータトランスのボビン。
【請求項５】
第１、第２の溝からなる巻線部を二つ備え、それぞれの巻線部を第１の鍔を中心にして対称的に配置した請求項１のインバータトランスのボビン。
【発明の詳細な説明】
【技術分野】
【０００１】
本発明は放電灯を点灯させるインバータ回路に用いられるインバータトランスに係り、特に、二次巻線を巻回した二次側ボビンの構成に関するものである。
【背景技術】
【０００２】
従来のインバータトランスとしては、例えば特許文献１に開示されたものがある。このトランスは、図11及び図12に示すように、一つの一次側のボビン１に対向する二つの二次側ボビン２を備えた２出力型の構成となっている。ボビン１には一次巻線３が巻回され、二つのボビン２には、それぞれ二次巻線４が巻回されている。７、８は、一次巻線３と二つの二次巻線４を電磁結合する一対のコアである。
二次側のボビン２には、端子５を取付けた部分の側面に、内側に切れ込んだスリット２ａが形成してある。図13に拡大して示すように、二次巻線４の内周側のリード線４ａは、スリット２ａを通してボビン２の下面まで引出し、突起２ｂに引っ掛けてからボビン２の下面を這わせて端子５に接続してある。
【特許文献１】特開２００１−１２６９３７号公報
【発明の開示】
【発明が解決しようとする課題】
【０００３】
二次巻線４は、内周側から巻き重ねられ、外周側で巻き終わる形に巻かれている。インバータ回路で使用される際には、二次巻線４の一端が接地され、他端に高電圧が加えられる。二次巻線４の外周側を高圧端とすると、二次巻線４の外周部に近接して対向するコア８との間で放電を起こしやすい問題がある。そこで、通常は内周側を高圧端、外周側を接地端として使用している。したがって、図13における内周側のリード線４ａは高圧側のリード線となる。
このインバータトランスをプリント基板に実装すると、リード線４ａがプリント基板に対向することになる。このため、今度はリード線４ａとプリント基板の導体パターンとの間で放電するおそれが出てくる。そこで従来は高圧となるリード線４ａをボビン２の下面に塗布した接着剤で覆い、プリント基板との間の絶縁耐圧特性を高めるようにしている。しかし、接着剤の塗布状態のバラツキ等のために、なおも放電が起きることがあった。
【課題を解決するための手段】
【０００４】
本発明は、鍔23で仕切られた巻軸22の周りの溝24に二次巻線40を巻回したインバータトランスのボビンであって、複数の端子25を取付けた第１の鍔と、縁から巻軸付近まで切れ込んだスリット27を有する第２の鍔と、第１、第２の鍔の間に位置する第１の溝24ｂと、第２の鍔を挟んで第１の溝24ｂに隣接する第２の溝24ａとを備え、第２の溝24ａに二次巻線40を巻回するとともに、二次巻線40の少なくとも高圧側のリード線41をスリット27に通して第１の溝24ｂの中に引出し、その端末を端子25に接続した構成を特徴とする。
【発明の効果】
【０００５】
本発明によるインバータトランスのボビンは、二次巻線の高圧側のリード線とプリント基板の導体パターンとの間に、ボビンの鍔が介在することになる。このため、このボビンを使用したインバータトランスはプリント基板との間の絶縁耐圧が向上する。また、隣り合う二つの溝からなる巻線部をこのボビンに複数設けることにより、実装面積の小さい多出力型のインバータトランスを容易に構成できる効果もある。
【実施例】
【０００６】
図１及び図２は本発明によるインバータトランスのボビンの一実施例を示している。また、図３及び図４は、それぞれ、巻線を施す前の同ボビン20の正面図及び平面図である。図３及び図４から明らかなように、ボビン20は貫通孔21のある筒形の巻軸22を有し、３枚の鍔23ａ、23ｂ、23ｃで仕切られた二つの溝24ａ、24ｂを巻軸22の周りに備えている。これらの隣り合う二つの溝24ａ、24ｂからなる巻線部26が一つ形成されている。
【０００７】
下端の鍔23ｃには２本の端子25を取付けてある。端子25は、両端を外部に突出させた状態で鍔23ｃに埋め込まれている。端子25の一端はボビン20の側面から突出した短い突出部25ａ、他端は別な側面から突出させて下方に折り曲げた長い端子部25ｂとしてある。中央の鍔23ｂには、縁から巻軸22まで達する２本のスリット27が形成してある。そして、図１及び図２に示すように、巻線部26の一方の溝24ａに二次巻線40を巻回してある。
【０００８】
二次巻線40の内周側のリード線41は、一方のスリット27から下方に引出し、溝24ｂを通してその端末を端子25の突出部25ａに接続してある。二次巻線40の外周側のリード線42は、他方のスリット27に通して溝24ｂの中に引出し、その端末を別の端子25の突出部25ａに接続してある。なお、接地端となる外周側のリード線42は必ずしもスリット27を通す必要はない。
【０００９】
図５及び図６はボビン20の他の実施例を示すもので、二次巻線40を巻回する巻線部26を二つ設けた例である。これらの図においても、前述の実施例と対応する部分には同一符号を付してある。
ボビン20は、貫通孔21のある円筒形の巻軸22を有し、巻軸22の周りに５枚の鍔23で仕切られた四つの溝24を備えている。中央の鍔23ｃに取付けた４本の端子25は、それぞれ、短い突出部25ａと下方に折り曲げた長い端子部25ｂを備えている。ボビン20には、隣り合う二つの溝24ａ、24ｂからなる巻線部26が二つ形成されている。二つの巻線部26は、中央の鍔23ｃを中心として巻軸22の中心軸方向に対称的に配置してある。
【００１０】
それぞれの巻線部26には中央の鍔23ｃから遠い方の溝24ａに二次巻線40が巻回される。二次巻線40の内周側のリード線は、鍔23ｂ、23ｄに設けた一方のスリット27を通して溝24ｂの中に引出し、この溝24ｂを通して端子25の突出部25ａに接続される。二次巻線40の外周側のリード線は、他方のスリット27から溝24ｂの中を通すか、あるいはスリット27を経由しないで別の端子25の突出部25ａに接続される。
【００１１】
このボビン20を二次側に使用して構成したインバータトランスの一例を図７及び図８に示す。10は一次巻線30を巻回した低圧側のボビン、50、60は突き合わされて閉磁路を形成する一対のコアである。ボビン20には２本の二次巻線40が巻回されているので、２出力型のトランスとなる。このように、図11の従来例と同じ２出力型トランスとしたときも、本発明によれば平面投影面積を従来よりも小さくすることができる。
図９は図５の二次側ボビン20を二つ使用して４出力型のトランスとしたものである。このようにボビン20を複数設けることで、プリント基板への実装面積のさらに少ない多出力トランスを実現できる。
【００１２】
図５に示したボビン20は、中央の鍔23ｃを中心として巻線部26を対称に配置し、中央の鍔23ｃに全ての端子25を取付けている。巻線部26をこのように対称に配置する代わりに、図10のように縦に並置した構成としてもよい。このとき、二つの二次巻線40ａ、40ｂ用の端子25は、それぞれ中央の鍔23ｃと下端の鍔23ａに分けて取付けられる。二次巻線40ａ、40ｂの内周側のリード線41ａ、41ｂは、それぞれ、端子25を取付けた鍔23ａ、鍔23ｃの真上の溝24ｂに通すことになる。
【００１３】
なお、実施例は巻線部26が二つ以下のボビンの例を説明したが、溝24の数を増やして一つのボビン20に三つ以上の巻線部26を設けてもよい。また、図５及び図10に図示したボビン20に二次巻線40を巻回するには、中央の鍔23ｃに取付けた端子25の端子部25ｂを水平に突出させた状態で巻線作業を行い、巻線終了後にこの端子部25ｂを折り曲げ成形すればよい。
【図面の簡単な説明】
【００１４】
【図１】本発明のボビンの第１実施例を示す正面図
【図２】同ボビンの側面図
【図３】巻線前の同ボビンの正面図
【図４】巻線前の同ボビンの一部切欠平面図
【図５】本発明のボビンの第２実施例を示す一部断面正面図
【図６】同ボビンを縮小して示す一部切欠平面図
【図７】インバータトランスの構成例を示す平面図
【図８】同インバータトランスの拡大正面図
【図９】インバータトランスの他の構成例を示す平面図
【図１０】本発明のボビンの第３実施例を示す正面断面図
【図１１】従来のインバータトランスを示す平面図
【図１２】図11のＡ−Ａ線断面図
【図１３】図12の一部を拡大して示す断面図
【符号の説明】
【００１５】
20  ボビン
23  鍔
24  溝
26  巻線部
27  スリット
40  二次巻線
41  リード線
【図１】
2006128330.tif 000003
【図２】
2006128330.tif 000004
【図３】
2006128330.tif 000005
【図４】
2006128330.tif 000006
【図５】
2006128330.tif 000007
【図６】
2006128330.tif 000008
【図７】
2006128330.tif 000009
【図８】
2006128330.tif 000010
【図９】
2006128330.tif 000011
【図１０】
2006128330.tif 000012
【図１１】
2006128330.tif 000013
【図１２】
2006128330.tif 000014
【図１３】
2006128330.tif 000015